(57)【要約】  本発明は、特に、蝶番のための、家具のダンパ（１）に関し、ハウジング（２）を備え、ハウジングの中には、ピストンロッド（３）に結合されたピストン（４）が可動式に受け入れられる。ピストン（４）が変位するとき、ピストン（４）の面に又は中に設けられた流路（２０）を通って、ハウジング（２）の内側を流体が流れ、ピストン（４）が異なる方向に変位するとき、異なる制動力が発生する。流路（２０）の横断面の部品は、プレート（６）に対するピストン（４）の変位によって変化し、プレート（６）及び／又はピストン（４）は、半径方向に延びる溝部を備え、流路（２０）の少なくとも一部分を形成している。【選択図】  図１
2009528490.tif 000002
【特許請求の範囲】
【請求項１】
ハウジング（２，２’，２”，１０２，２０２）を有する、家具用、特に蝶番用のダンパ（１，１０１）であって、前記ハウジング内には、ピストンロッド（３，３’，３”，１０３，２０３）に結合されたピストン（４，４’４”，１０４）が変位可能に受け入れられており、前記ハウジング（２，２’，２”，１０２，２０２）の内部での前記ピストン（４，４’，４”，１０４，２０４）の動作中に、前記ピストン（４，４’４”，１０４，２０４）上に又は前記ピストン内に設けられた流路（２０，２０’，１２０）を通って流体が流れ、異なる方向への前記ピストン（４，４’，４”，１０４）の動作中に異なる制動力が得られ、前記流路（２０，２０’，１２０）の横断面が局所的に変化可能となっており、前記ピストンがプレート（６，６’，６”，１０６，２０６）に対して可動になっている、前記ダンパにおいて、
前記プレート（６，６’，６”，１０６，２０６）及び／又は前記ピストン（４，４’４”，１０４，２０４）が、前記流路（２０，２０’，２０”，１２０）の少なくとも一部分を形成している半径方向に延びる溝部（６０，１６０）を有していることを特徴とするダンパ。
【請求項２】
前記ピストン（４，４’，４”，１０４，２０４）と、前記プレート（６，６’，６”，１０６，２０６）とが、前記ピストンロッド（３，３’，３”，１０３，２０３）に結合して取り付けられていることを特徴とする請求項１に記載のダンパ。
【請求項３】
前記プレート（６，６’，６”）が、前記ピストンロッド（３，３’，３”）に固定され、前記ピストン（４，４’，４”）が、軸線方向の遊びをもって、前記ピストンロッド（３，３’，３”）に保持されていることを特徴とする請求項２に記載のダンパ。
【請求項４】
前記ピストン（４’）が、前記ピストンロッド（３’）を環状に取り囲み、前記プレート（６’）と前記ピストンロッド（３’）の肩部（１５）との間において可動に保持されていることを特徴とする請求項２又は３に記載のダンパ。
【請求項５】
前記ピストン（２０４）が、前記ピストンロッド（２０３）に固定され、前記プレート（２０６）が、軸線方向の遊びをもって、前記ピストンロッド（２０３）又は前記ピストン（２０４）に保持されていることを特徴とする請求項２に記載のダンパ。
【請求項６】
前記溝部（６０，１６０）に沿った半径方向の前記流路（２０，２０’，１２０）は、前記プレート（６，６’，６”）が前記ピストン（４，４’，４”）に押し付けられたとき、前記流路における最も狭い部分であることを特徴とする請求項１〜５のいずれか一項に記載のダンパ。
【請求項７】
前記ピストンの軸線に対する、直径上で互いに対向する２つの溝部（６０，１６０）が、それぞれの場合に設けられていることを特徴とする請求項１〜６のいずれか一項に記載のダンパ。
【請求項８】
前記プレート（６，６’）が、前記ピストン（４，４’）のポット形状の受け部に配置されていることを特徴とする請求項１〜７のいずれか一項に記載のダンパ。
【請求項９】
前記ピストン（４，４’）が、前記ピストンロッド（３，３’，３”）のための円筒形の受け部（４０）を有し、少なくとも１つの凹部（１７）が前記受け部（４０）に設けられて流路を形成していることを特徴とする請求項１〜８のいずれか一項に記載のダンパ。
【請求項１０】
体積補償のための弾性発泡体（７，７’，７”）が、前記ハウジング（２，２’，２”）内の流体に隣接して配置されていることを特徴とする請求項１〜９のいずれか一項に記載のダンパ。
【請求項１１】
前記弾性発泡体（７”）を有するチャンバ（７０）が、前記ピストンロッド（３”）の長手軸線に対して横方向にオフセットして配置されていることを特徴とする請求項１０に記載のダンパ。
【請求項１２】
前記プレート（１０６）が、屈曲可能に設けられ、前記流路（１２０）の横断面を変化させることを特徴とする請求項１〜１１のいずれか一項に記載のダンパ。
【請求項１３】
前記プレート（１０６）が、プラスチック、好ましくはプラスチック膜から作られた円板として形成されていることを特徴とする請求項１２に記載のダンパ。
【請求項１４】
可動な補償ピストン（１０７，１１１）が、前記ハウジング（１０２）の一方の側に設けられ、前記ハウジング（１０２）と前記ピストンロッド（１０３）とにシールされるように案内されていることを特徴とする請求項１〜１３のいずれか一項に記載のダンパ。
【請求項１５】
前記補償ピストンが、シール（１０７）を有し、前記シールが、前記ハウジング（１０２）に押し付けられる外側シールリップ（１１２）と、前記ピストンロッド（１０３）に押し付けられる内側シールリップ（１１３）とを有していることを特徴とする請求項１４に記載のダンパ。
【請求項１６】
前記補償ピストンが、保持リング（１１１）によって支持されているシール（１０７）を備えていることを特徴とする請求項１５に記載のダンパ。
【請求項１７】
前記補償ピストン（１０７，１１１）が、ばね（１１０）によって、前記ピストン（１０４）を有する前記内側チャンバへ向けて、予張力を加えられていることを特徴とする請求項１４〜１６のいずれか一項に記載のダンパ。
【請求項１８】
前記ばね（１１０）は、カバー（１０９）上に支持され、前記カバーが前記ハウジング（１０２）に固定され、前記ピストンロッド（１０３）によって貫通されていることを特徴とする請求項１７に記載のダンパ。
【請求項１９】
好ましくは屈曲可能な脚部を有するキャッチ手段（１１５）が、さらに別の要素に結合するために、前記ピストンロッド（１０３）に設けられていることを特徴とする請求項１〜１８のいずれか一項に記載のダンパ。
【請求項２０】
前記ピストン（４，４’，４”，１０４）を動かす力が、相反する両方向において、係数５、好ましくは、係数８〜１２だけ異なっていることを特徴とする請求項１〜１９のいずれか一項に記載のダンパ。
【請求項２１】
前記ピストン（２０４）が、外側に溝部を有し、かつ、前記ピストン（２０４）の両側に配置されたチャンバ（２２３，２２４）を分離するシールリング（２０５）を有し、堅固な材料から作られたスロット付き支持リング（２０９）が、前記溝部に挿入されていることを特徴とする請求項１〜２０のいずれか一項に記載のダンパ。
【発明の詳細な説明】
【技術分野】
【０００１】
本発明は、家具用、特に蝶番用のダンパに関する。このダンパは、ハウジングを有し、ハウジングの中には、ピストンロッドに結合されたピストンが変位可能に受け入れられ、ハウジングの内部にてピストンが動く間に、ピストン面に又はピストン内に設けられた流路を通って流体が流れ、ピストンが異なる方向に動く間に、異なる制動力が得られるようになったものである。
【背景技術】
【０００２】
家具のダンパであって、ピストンに微細孔が配置され、ピストンの移動中に、ピストンの片側から他の側へ流体が流れ、ピストンの動きが流体で制動されるようなダンパが存在している。そうした微細孔の生産には、不都合が存在し、微細孔は通常０．１５ｍｍ未満であり、生産工程は、高い精度が要求されるために、時間を要し、また、工具は高い摩耗にさらされる。わずかに寸法が外れていると、得られる制動力は大いに異なると考えられる。加えて、微細孔は、小さい粒子によって容易に詰まり易い。従って、分離した小さい粒子がシステムを閉塞させるので、体積均等化のために発泡要素を使用することは不可能である。更に、小さい微細孔内の壁面は洗浄効果により摩耗されるので、所定の時間の後には、直径が拡大する。従って、ダンパの特性は変化する。
【０００３】
さらに、ピストンとハウジング壁との間のリング隙間を介して流体が流れるような、ダンパが知られている。ピストンの直径又はシリンダの内径の極めて小さい寸法的逸脱が、ここでは、制動の挙動に大きな影響を有する。公差は蓄積して、特に、ハウジング壁は外側へ屈曲し、内部圧力が変化する場合、リング隙間を拡大する。加えて、汚染物質は、制動挙動に対して不都合な効果を有する。
【０００４】
可動な家具の部品のためのダンパ要素は、独国特許公報ＤＥ １００ ５４ ９０４号から知られている。環状の弾性摺動弁を有する弁ユニットが、可動なピストンに設けられ、これが、異なる方向へのピストンの異なる度合いの動きに対して制動を生じる。しかしながら、そうした弁ユニットの構造は比較的複雑で、上述した流路の詰まりの問題点が生じるであろう。
【０００５】
可動な家具の部品のためのダンパは、独国特許公報ＤＥ ２０２ ２１ ５５０号から知られており、可動なリング円板が設けられ、これを用いて、ピストンの貫通開口部は、完全に又は部分的にカバーされる。反対方向へのピストンの運動中に、異なる制動力が達成されるであろうが、制動力の強さを大きく設定することができない。流れの横断面が小さ過ぎるならば、高い材料歪みと、より急速な摩耗とが生じる。より大きい流れの横断面が実現されるならば、制動力は、多くの用途において、小さすぎるままとなろう。
【発明の開示】
【発明が解決しようとする課題】
【０００６】
従って、本発明の目的は、使用に際して耐性があり、比較的精密に、特定の意図する目的に個別に適合する家具用のダンパを提供することである。
【課題を解決するための手段】
【０００７】
この目的は、請求項１の特徴を有するダンパによって達成される。
【０００８】
本発明によれば、流路の横断面は、局所的に変化可能であり、ピストンはプレートに対して可動になっており、プレート及び／又はピストンが、流路の少なくとも一部分を形成している、半径方向に延びる溝部を有している。従って、流路の横断面は、比較的精密に事前に定められることができ、ピストンに取り付けられたプレートは、容易に生産可能であり、また、必要ならば、交換可能である。加えて、ダンパは、特定の意図する目的に容易に設定することができる。その理由は、制動力は、主として、ピストン面の又は中の流路の設計の関数であり、特に、半径方向の溝部の流れの横断面は、スクリーンを形成するだけでなく、むしろ、所定の距離にわたってそれらを通して流れる流体を有するためである。半径方向の溝部のこの距離は、摩擦力を発生させるために、従って、流体の圧力低下のために、完全に使用することができ、これは、制動を生じさせる。加えて、溝部は、穴ぐりツールによるボア孔に比べて、著しく簡単に生産できる。その理由は、ばりが生じるか、又は、射出成形皮が形成されるかする射出成形方法における開口部のためである。プレートとピストンとの間の流れの横断面に変化に起因して、それは、追加的に、汚染物質に起因した詰まりが容易に無くなる。これは、部品が、横断面の変化に起因して、容易にジャムを生じなくなるからである。
【０００９】
本発明の好ましい実施形態によれば、ピストンとプレートとは、ピストンロッドに結合して取り付けられている。ピストンは、流路の横断面を変化させるために、軸線方向に動かすことができ、ピストンとプレートとの間の半径部分は、一種の弁の機能を有し、ピストンの動きは、一方向においては、反対方向に比べて、より強く制動される。これは、家具において特に有利である。これは、開く動きは滑らかに生じるが、閉じるときには制動が有利になるためである。制動力は、５を越える係数だけ異なるとよく、好ましくは、ピストンの反対方向の動きにおいて、８〜１２の係数だけ異なるとよい。
【００１０】
好ましくは、プレートは、ピストンロッドに固定され、ピストンは、遊びをもって、ピストンロッドに保持される。従って、ダンパは、２〜３の要素を使用して提供されることができ、流路は変化することができる。ピストンは、ピストンロッドを環状に取り囲むよう取り付けることができ、プレートとピストンロッドの肩部との間で可動に保持されるとよい。従って、ピストンとピストンロッドとの間の流路は、一定に維持されることができ、例えば、対応する凹部が、別な方法では、ピストンの円筒形の受け部に設けられてもよい。半径方向に走行する流路の部分は、ピストンの軸線方向の遊びのために、その横断面が変化する。流路の最も狭い横断面は、そこに形成することができ、これは、スロットルの特性に関連している。半径方向の溝部は、好ましくは、ピストン軸線に対して直径上に互いに対向する２つの溝部が設けられるように配置される。これは、均一な制動力を確保し、ピストンのジャムを生じさせる、半径方向の横方向の可能な力を防止する。
【００１１】
本発明のさらに別の実施形態によれば、プレートは、ピストンのポット形状の受け部に配置される。加えて、弾性発泡体は、流体に隣接してハウジング内に配置されるとよく、これは、ピストンロッドが引込み及び伸張するためのある種の体積補償を実行することかできる。最適な空間の活用のために、弾性発泡体を有するチャンバは、ピストンロッドの長手軸線に対してオフセットして配置されるとよく、要素内に存在する空間は、チャンバによって使用され、ダンパは、別の方法では、極めて短く設けることができる。
【００１２】
さらに別の実施形態によれば、流路の横断面を変化させるために、ピストンは固定され、プレートは屈曲可能に形成される。従って、ダンパは、圧力ダンパとして簡単な態様で設けられることができ、これは、ピストンロッドがハウジングの中に押圧されたときには堅く、一方、ピストンロッドは比較的滑らかに引き抜かれることを可能とする。プレートは、プラスチック、好ましくは、プラスチック膜から作られた円板として形成されるとよい。円板の歪みは、細かい流路の領域においてさえ、比較的低いからである。
【００１３】
可動な補償ピストンは、好ましくは、ハウジングの一方の側に設けられ、これは、ハウジング及びピストンロッドに案内シールされる。ピストンロッドの動きに起因する体積変化は、補償ピストンによって補償されることができる。補償ピストンは、シールを備え又はシールから構成されることができ、シールは、ハウジングに押し付けられる外側シールリップと、ピストンロッドに押し付けられる内側シールリップとを有し、１つだけのシールが必要とされる。さらに、補償ピストンは、好ましくは、ピストンを有する内側チャンバへ向けて、ばねによって予張力を加えられるとよく、これは、ハウジング内にわずかな内圧を発生させる。ばねは、ハウジングに固定されたカバーで支持されることができ、ピストンロッドによって貫通され、取付けが簡単な構造が提供される。
【００１４】
ダンパが、圧力ダンパとして設けられるならば、キャッチ手段、好ましくは、屈曲可能な脚部を有するキャッチ手段が、さらに別の要素に結合するために、ピストンロッド及び／又はハウジングに提供されることもできる。これは、ピストンロッドが動く際の張力歪みが、キャッチ手段の保持力に比べて小さく、ダンパが取り付けられ、容易且つ迅速に改装できるためである。
【００１５】
以下、本発明について、添付図面を参照しつつ、複数の例示的な実施形態に基づいて、詳細に説明する。
【発明を実施するための最良の形態】
【００１６】
引張りに影響を与えるダンパ１は、円筒形の内側チャンバを有するハウジング２を備え、ハウジングの中には、ピストン４が変位可能に案内され、ピストンはピストンロッド３に保持されている。ハウジングの内壁に押し付けられるシールリング５が、ピストン４の外周にある溝部に保持されている。
【００１７】
ピストン４に隣接して、ピストンロッド３の一端には、プレート６が固定されている。ピストン４は、ピストンロッド３上にてわずかに軸線方向に可動になっており、プレート６とピストン４との間の距離は変化可能になっている。
【００１８】
弾性発泡体７が、プレート６に隣接して、ハウジング２の非加圧側に設けられ、ピストンロッド３がハウジング内に引っ込み及びハウジングから伸張するとき、ある種の体積補償を確保する。ピストン４の反対側には、流体で充填される内側チャンバ８が設けられている。また、ハウジング２は、ハウジングカバー９によって閉じられている。カバー９とは反対の側においては、ピストンロッド３は、シール１０によってシールされており、ハウジング２から外部へと案内されている。
【００１９】
図２は、ハウジング２内の中間位置におけるピストン４を示している。ピストンロッド３が左に引かれるならば、プレート６はピストン４に押し付けられる。これにより、流体は、内側チャンバ８から、ピストンロッド３とピストン４との間を通って、プレート６にまで流出する。プレートには１以上の半径方向の溝部が設けられ、これは、プレート６の内側に窪み、又は、ピストン４のプレート６に向いて面した側に窪んでいるとよい。この溝部又はこれらの溝部は、引張り段階において、すなわち、プレート６とピストン４とが互いに押し付けられてシールを形成するとき、半径方向の流路を形成する。そして、この領域には、最も狭い流れ横断面が形成され、ダンパは、対応するスロットル特性を使用するものとなる。ピストンを通る通路の流れ抵抗は、半径溝部を通る流れ抵抗に比べて、極めて小さく、例えば、５〜５００の係数を有する。
【００２０】
ピストンロッド３が反対方向に動くならば、プレート６は、ピストン４から容易に離間するが、これは、ピストン４は、軸線方向の遊びをもって、ピストンロッド３に保持されているからである。従って、プレート６とピストン４との間の流路の横断面は拡大し、流体は、小さな流れ抵抗で内側チャンバ８に向けて流れることとなろう。
【００２１】
図３は、ダンパ１の外観を示しており、ピストンロッド３が特に、家具への据付けの際に要素に固定され、追加的に、ハウジング２は別の要素に結合される。この目的のために、ハウジング２には、環状の要素が設けられ、その上に、ベアリングピン１２を有するばね脚部１１が設けられている。従って、ピストンロッド３と、ベアリングピン１２及び／又はそれに結合された要素との間の相対的な運動が制動され得る。
【００２２】
図４は、わずかに変形させたダンパ１’を示しているが、これは、図１〜図３のダンパの動作モードに対応している。ダンパ１’は、ハウジング２’を備え、その中には、ピストンロッド３’と一緒に変位可能なようにピストン４’が案内されている。プレート６’は、ピストンロッド３’に固定されている。さらに、弾性発泡体７’が体積補償のために設けられている。カバーの代わりに、ピストンロッド３’と反対の側には、閉止ねじ９’が設けられ、ハウジング２’は流体で容易に充填され得る。ダンパハウジングは、２つのハウジング部分を軸線方向に結合することで取り付けられ、それらの結合箇所は、好ましくは、ダンパの非加圧側に配置されている。結合は、例えば、溶接、接着、又は、周囲のアンダーカット溝部を用いることで成されるとよい。
【００２３】
図５は、特に詳細に、ピストンロッド３’とピストン４’との間の流路を示している。ピストン４’は、プレート６’とピストンロッド３’の肩部１５との間に、軸線方向の遊びをもって、保持されており、ピストン４’は軸線方向に容易に動くことができる。流体は、ピストン３’が動くと、矢印にて示すように、ピストン４’の右側から左側へ、移動する。ピストンロッド３’には、円筒形部分１６が設けられ、この部分は、ピストン４’によって取り囲まれ、そこに軸線方向の開口部が設けられて、流路１７を形成している。流路は、プレート６’の領域において、半径方向に偏向しており、少なくとも１つの半径方向の流路２０が、プレート６’とピストン４’における半径方向部分との間に形成されている。流路は、続いて、再び偏向し、プレート６’とピストン４’との間に、環状の流れ隙間２１が形成されている。流路における最も狭い部分は、半径方向の流路２０であり、これは、スロットル特性に関連している。
【００２４】
プレート６’は、ピストンロッド３’に対して軸線方向には可動ではなく、圧入、リベット１９、又は、ねじをより、ピストンロッド３’の肩部１８に固定されている。
【００２５】
図４及び図５のダンパは、図６及び図７にも示されており、ここでは、ダンパは反対方向に動き、従って、ここでは、流体は、ピストン４’の左側からピストン４’の右側へと運ばれる。ピストンロッド３’が左方向に押圧されるので、プレート６’はピストン４’からわずかに離間するが、これは、ピストン４’は、軸線方向の遊びをもって、ピストンロッド３’に保持されているためであり、ついには、ピストン４’は少なくとも部分的に、ピストンロッド３’の肩部１５に押し付けられる。従って、流路２０’の横断面は、半径方向において拡大し、流体は、著しくより容易に、ピストン４の反対側に達することができる。
【００２６】
発泡体７’は、円筒形のハウジング２に出入りする、ピストンロッド３’の引っ込み及び伸張に起因して生じる差動体積を補償するために使用される。
【００２７】
ダンパ１又は１’は、蝶番及びフラップ又はドアストッパなど、特に家具用に良好に適しているが、これは、極くわずかな制動力は、開く際の動きを妨げることがなく、また、対照的に、閉じる際には、ドアがバタンと閉まるのを避けるために、強い制動力が役立つからである。流路２０又は２０’の横断面は、所望の制動特性に適合されるとよい。流路２０又は２０’は、特に保護されて配置されているために、プレート６’のピストン４’への相対的運動による流路の変化に起因して、最も狭い領域において、容易に詰まることがない。
【００２８】
図８のＡ〜Ｃには、ピストンロッド３’に取り付けられるであろう、様々な例示的な実施形態のプレート６’が示されている。プレートは、この目的のために中央開口部６１を有し、小さい溝部６０は、流路２０又は２０’に向けて面する側に形成され、図８のＡには２つの溝部が示され、図８のＢにはプレート６＊の４つの溝部が示され、図８のＣにはプレート６＊＊の６つの溝部が示されている。溝部の数と、溝部の横断面とは、流路２０のサイズに関して重要であり、これらは、特定の用途に適合されるようにすることができる。半径方向の溝部は、もちろん、ピストン４’に代えて又は追加的に、プレート６’に導入され得る。
【００２９】
図９のＡ及びＢは、ダンパのピストン４’を詳細に示している。ピストン４’は、内側に円筒形の孔４０を有し、その中に、ピストンロッド３が摺動するように案内される。少なくとも１つの、より好ましくは３つの、凹部１７が孔４０に設けられて、流路を形成し、これは、制動流体のための比較的大きな流れの横断面を形成している。従って、この流体は（ほとんど）妨げられずに、この箇所を流れ、比較的大きな長さを有する小さな横断面が有する引張り方向の制動効果は、ピストン４’に取り付けられたとき、プレート６’の半径方向の溝部６０によって形成される。
【００３０】
ピストン４’は、シール要素のために、縁部のまわりに環状の受け部４２を有している。この受け部は、軸線方向に、２つのフランジ４１及び４３によって画定されている。シール要素としては、公知のＯリング又はその他の弾性シールリングを使用するとよい。
【００３１】
上述の例示的な実施形態は、制動動作が引張り方向であるダンパを示している。取付けのために必要なハウジングの結合箇所は、引張り方向とは反対側に向くピストンの側にあるのが有利である。従って、制動工程中に発生する高い流体圧力で打たれることがなく、大きくなった流れ横断面のために、高い圧力は戻り方向に発生することがない。これは、構造の堅固さに関して利点を有する。この原理を対応して逆転させても、理想的に動作する圧力ダンパを構成することができる。この目的のために、ピストンロッドに固定されるプレートは、ピストンの反対側に配置され、ピストンは、ここでは、プレートとピストンロッドの端部に配置されて（リベットで留めた）ストッパとの間にて変位可能になっている。ハウジングと発泡体との円筒形内側における結合箇所は、対応して、反対端部、すなわち、ピストンロッドが出ている側に配置される。従って、ハウジング部分は、簡単なポットとして設計される。
【００３２】
図１０〜図１３に示した実施形態においては、ダンパ１０１が提供され、このダンパは、円筒形のハウジング１０２を備え、その中に、ピストン１０４が案内され、このピストンはピストンロッド１０３上を変位可能になっている。シールリング１０５は、ピストン１０４の外周の溝部に受け入れられている。溝部が有する幅は、シールリング１０５の横断面に比べて大きくなっており、溝部に圧入されるとよく、ハウジング１０２の内壁によって過剰な圧力が生じた場合に、ピストン１０４の移動中に高い摩擦力を回避する。
【００３３】
プレート１０６は、ピストン１０４に隣接して、ピストンロッド１０３の一端に、又は、ピストン１０４の延長部に、固定される。補償ピストンは、ピストン１０４の反対側にてハウジング１０２に受け入れられ、ピストンロッド１０３の動きによる体積変化を補償する。補償ピストンは、シールリング１０７を備え、シールリングは、保持リング１１１に配置されている。シールリング１０７は、ハウジング１０２の内側チャンバ１０８にシールを作り、シールリング１０７は、ハウジング１０２の内面に押し付けられる外側シールリップ１１２を有すると共に、ピストンロッド１０３に押し付けられる内側シールリップ１１３を有する。従って、シール１０７は、同時に、ピストンロッド１０３とハウジング１０２とにシールを提供することができる。
【００３４】
シール１０７と保持リング１１１とは、ばね１１０を介してプレテンションが加えられ、ばねは、保持リング１１１に押し付けられ、また、反対側のカバー１０９に押し付けられる。ばね１１０で得られる力が低いので、カバー１０９はハウジング１０２のキャッチ（止め具）によってのみ固定される。
【００３５】
キャッチ要素１１５は、キャッチ耳部１１６を介して、溝部又は凹部に固定され、ピストンロッド１０３に部分的に開いた目穴１１７を形成している。これにより、家具の蝶番などのさらに別の要素が、脚部を介して、目穴１１７に係合することができ、すなわち、簡単な取付けが可能となる。キャッチ要素１１５は、ピストンロッド１０３から脱落することがない。これは、ピストンロッド１０３は滑らかに伸張し、個々のキャッチ手段の保持力が、ピストンロッド１０３が伸張するとき、対向力に比べて大きいためである。ピストンロッド１０３のキャッチ耳部１１６のために凹部を設けるとよく、ピストンロッド１０３の機械加工は不要になる。ピストンロッド１０３は、金属又はプラスチックから作られ、非常に細い直径として実現され、好ましくは、１．５mm〜３．５mmの範囲、特に、２．０mm〜３．０mmであるとよい。従って、ピストンロッド１０３が引っ込み及び伸張する際、必要な体積補償はわずかだけでよい。
【００３６】
ダンパ１０１は、圧力ダンパとして実現され、ピストンロッド１０３を引っ込める力は、少なくとも５倍、好ましくは８〜１２倍、ピストンロッド１０３を伸張させる力に比べて大きい。
【００３７】
流路１２０は、ピストン１０４と環状プレート１０６との間に形成され、これは、ピストンロッド１０３の軸線に対して直径上に対向する、２つの半径方向溝部１６０によって部分的に形成されている。プレート１０６の外径は、ピストン１０４の直径に比べて小さい。開口部１２１は、プレート１０６の中央に残され、プレート１０６は、ピストンロッド１０３又はピストン１０４におけるピン形状の端部１１９に取り付けられるとよい。従って、ピン形状の端部１１９は、プレート１０６に固定するように変形され、プレートはピストン１０４にしっかりと保持される。
【００３８】
図１２は、変形した端部１１９’を示しており、これは、プレート１０６を、ピストンロッド１０３に代えて、ピストン１０４に固定しているが、他の固定機構を使用してもよい。１又は複数の貫通通路１２２がピストン１０４に形成され、これは、ピストンロッド１０３の軸線に対して平行に延びている。ピストンロッド１０３がハウジング１０２の中に押圧されるならば（図１２の上半分）、プレート１０６は、ピストン１０４に押し付けられ、溝部１６０は、内側チャンバ１０８と対向する内側チャンバ１２３との間に、最も狭い流れ横断面の流路を形成する。従って、ピストンロッド１０３は硬く押し込まれる。
【００３９】
ピストンロッド１０３が引き出されるならば（図１２の下半分）、プレート１０６はピストン１０４から離間して延び、ついには位置１０６’に達し、例えば、溝部１６０は、プレート１０６から距離をおいて配置され、流体は、溝部１６０を通る必要なく、内側チャンバ１０８から貫通通路１２２を通して、内側チャンバ１２３に流れる。従って、かなり大きい流れ横断面が使用され、ピストンロッド１０３は極めて滑らかに伸張する。この目的のために、プレートは、屈曲可能に形成され、プラスチック、例えば、好ましくは、ＰＥＴのプラスチック膜を備え、ピストンロッド１０３が動いた後に、プレート１０６は、再び、ピストンロッド１０３の軸線に対して垂直な、ピストン１０４に隣接した位置へと動く。もちろん、プレート１０６を屈曲させる代わりに、最初の２つの例示的な実施形態の場合のように、プレート１０６をピストン１０４から分離させておくことも可能である。
【００４０】
図１３のＡ及びＢは、ダンパ１０１を示しており、そのハウジング１０２は外側に開いた目穴１１８を一方の側に有し、反対側には、ピストンロッド１０３のキャッチ要素１１５における外側に開いた目穴１１７を有している。両方の目穴１１７及び１１８によれば、ダンパ１０１を簡単且つ迅速に取り付けることができる。
【００４１】
図１４は、さらに別の実施形態によるダンパ１”を示しており、これは、図１〜図３の例示的な実施形態と同様に実施されている。ピストン４”は、外側シールリング５”を有し、ピストンロッド３”がピストンを貫通して案内され、また、ピストンは、ハウジング２”内を円筒形部分の内側にて案内されている。ピストンロッド３”は、ハウジング２”を一方の側で貫通し、シール１０”を介してシールされている。プレート６”は、ピストン４”に隣接して配置され、図４〜図９の例示的な実施形態に示したように、ピストン４”とプレート６”との間には、半径方向の流れ部分が形成される。
【００４２】
弾性発泡体７”を有するチャンバ７０が、ハウジング２”の体積補償のために設けられ、これは、ピストンロッド３”の長手軸線に対して横方向にオフセットして、すなわち、ハウジング２”の回転可能な取付けのために、目穴１１”に隣接して配置される。従って、発泡体７”を有するチャンバ７０は、ハウジング２”を固定するための目穴１１”と、ピストンロッド３”の直径上の対向する端部との間の距離を伸ばすことがなく、例えば、家具の蝶番の据付空間は最適に使用されることができる。
【００４３】
図１５は、図１０の例示的な実施形態に関連して、ピストン２０４の領域を若干改変した、例示的な実施形態を示している。ピストン２０４は、ダンパの円筒形のハウジング２０２内において変位可能になっている。ピストン２０４は、ピストンロッド２０３のキャッチ又はバヨネット結合部を介して固定され、少なくとも１つの軸線方向流路２２２を有する。溝部は、ピストン２０４の外周に設けられ、溝部には、Ｏリングとして実施されるシールリング２０５が挿入され、ピストン２０４の直径上の反対側に形成されたチャンバ２２３及び２２４は、ピストン２０４及びシールリング２０５を介して、互いに分離されている。プラスチック又は金属などの堅固な材料から作られたスロット付き支持リング２０９は、溝部内のシールリング２０５に隣接して挿入され、溝部内のシールリング２０５の変位を回避し、軸線方向にシールリング２０５を圧縮することができる。このようにしないと、高圧力の場合に、シールリング２０５は、溝部内でスリップして、充分な締め付けはもはや確保されず、ダンパはもはや機能しなくなるためである。
【００４４】
プレート２０６は、ピストン２０４のチャンバ２２３の側に設けられ、これは、スナップリング２０７によって、円筒形の延長部２１０に軸線方向に固定されている。プレート２０６は、スナップリング２０７とピストン２０４の横面２０８との間に、軸線方向の遊びをもって保持され、ピストン２０４が動く際には、プレート２０６は横向きの面２０８又はスナップリング２０７とのいずれかに押し付けられ、従って、先行する例示的な実施形態と同様に、プレート２０６及び／又は横向きの面２０８の半径方向溝部の領域における流路は、拡大し又は減少する。
【００４５】
油、特にシリコーン油が、好ましくは、図示のダンパの流体として使用されるが、他の流体を制動のために使用してもよい。
【図面の簡単な説明】
【００４６】
【図１】本発明の第１の例示的な実施形態によるダンパを示した側断面図である。
【図２】図１のダンパが中間位置にあるときの側断面図を示している。
【図３】図１のダンパを示した斜視図である。
【図４】第２の例示的な実施形態によるダンパを示した側断面図である。
【図５】図４の詳細図を示している。
【図６】図４のダンパが変更された位置にあるときの側断面図を示している。
【図７】図６のダンパの詳細図を示している。
【図８】Ａ〜Ｃは、図４のダンパのためのプレートの様々な図を示している。
【図９】Ａ及びＢは、図６のダンパにおけるピストンを示した２つの詳細図である。
【図１０】さらに別の実施形態によるダンパを示した一部破断側面図である。
【図１１】図１０のダンパを示した詳細な斜視図である。
【図１２】図１０のダンパにおけるピストンの領域を示した模式図である。
【図１３】Ａ及びＢは、図１０のダンパを示した２つの図である。
【図１４】変形実施形態によるダンパを示している。
【図１５】図１０の例示的な実施形態から変更されたダンパの詳細図を示している。
【図１】
2009528490.tif 000003
【図２】
2009528490.tif 000004
【図３】
2009528490.tif 000005
【図４】
2009528490.tif 000006
【図５】
2009528490.tif 000007
【図６】
2009528490.tif 000008
【図７】
2009528490.tif 000009
【図８Ａ】
2009528490.tif 000010
【図８Ｂ】
2009528490.tif 000011
【図８Ｃ】
2009528490.tif 000012
【図９Ａ】
2009528490.tif 000013
【図９Ｂ】
2009528490.tif 000014
【図１０】
2009528490.tif 000015
【図１１】
2009528490.tif 000016
【図１２】
2009528490.tif 000017
【図１３Ａ】
2009528490.tif 000018
【図１３Ｂ】
2009528490.tif 000019
【図１４】
2009528490.tif 000020
【図１５】
2009528490.tif 000021
【国際調査報告】
2009528490.tif 000022
2009528490.tif 000023
2009528490.tif 000024
2009528490.tif 000025
2009528490.tif 000026
2009528490.tif 000027